(57)【要約】【課題】画像読取用レンズにおいて、諸収差が補正され良好な結像性能を奏するものとする。【解決手段】物体側から順に、前群ＧＦ、開口絞りＳｔ、後群ＧＢを配し、物体側にテレセントリック性を持たせる。前群ＧＦを、正または負の接合レンズの第１群Ｇ１、正または負の接合レンズの第２群Ｇ２、物体側に凸面をなす正の接合レンズの第３群Ｇ３、像側に凹面をなす接合レンズの第４群Ｇ４を配したものとし、後群ＧＢを、３つまたは４つのレンズ群からなり、物体側に凹面をなす負の接合レンズの第５群Ｇ５、像側に凸面をなす正の第６群Ｇ６を有するものとし、前群ＧＦを構成する３枚以上の正レンズ、および後群ＧＢを構成する２枚以上の正レンズが条件式(1):νｄ＞６０．０を満たし、かつ、前群ＧＦを構成する１枚以上の正レンズ、および後群ＧＢを構成する２枚以上の正レンズが条件式(1):Δθｇ，ｄ＞０．０１５を満たすように構成する。【選択図】図１
2013041205.tif 000002
【特許請求の範囲】
【請求項１】
物体側から順に、正の屈折力を持つ前群と、開口絞りと、正の屈折力を持つ後群とからなり、物体側にテレセントリック性を有するものであり、
前記前群は、
物体側から順に、正レンズと負レンズとからなり全体として正または負の屈折力を持つ接合レンズである第１レンズ群と、正レンズと負レンズとからなり全体として正または負の屈折力を持つ接合レンズである第２レンズ群と、正レンズと負レンズとからなり全体として正の屈折力を持ち、最も物体側の面が物体側に凸面をなす接合レンズである第３レンズ群と、正レンズと負レンズとからなり全体として負の屈折力を持ち、最も像側の面が像側に凹面をなす接合レンズである第４レンズ群とからなり、前記第１レンズ群、前記第２レンズ群、および前記第３レンズ群を合わせた屈折力が正となるように構成されたものであり、
前記後群は、
４枚の正レンズと少なくとも２枚の負レンズとを含み、３つまたは４つのレンズ群からなり、
前記後群中の最も物体側に配されている第５レンズ群が、正レンズと負レンズとからなり、全体として負の屈折力を持ち最も物体側の面が物体側に凹面をなす接合レンズであり、
前記第５レンズ群の像側に配されている、前記後群中の第６レンズ群が、少なくとも１枚の正レンズを含み全体として正の屈折力を持ち、最も像側の面が像側に凸面をなすものであり、前記第５レンズ群よりも像側に配された前記後群中のレンズ部分が、全体として正の屈折力を持つように構成されたものであり、
前記前群を構成する正レンズのうち少なくとも３枚、および前記後群を構成する正レンズのうち少なくとも２枚が以下の条件式（１）を満たし、かつ、前記前群を構成する正レンズのうち少なくとも１枚、および前記後群を構成する正レンズのうち少なくとも２枚が以下の条件式（２）を満たすように構成されたものであることを特徴とする画像読取用レンズ。
νｄ＞６０．０・・・（１）
Δθｇ，ｄ＞０．０１５・・・（２）
ただし、
νｄ：レンズのｄ線に対するアッベ数
Δθｇ，ｄ：異常分散性（Δθｇ，ｄ＝θｇ，ｄ−１．３６５＋０．００２０８×νｄ）
θｇ，ｄ：ｇ線、ｄ線の部分分散比（θｇ，ｄ＝（ｎｇ−ｎｄ）／（ｎＦ−ｎＣ））
ｎｇ：ｇ線に対する屈折率
ｎｄ：ｄ線に対する屈折率
ｎＦ：Ｆ線に対する屈折率
ｎＣ：Ｃ線に対する屈折率
【請求項２】
前記後群が、物体側から順に、前記第５レンズ群、前記第６レンズ群、第７レンズ群、第８レンズ群からなる前記４つのレンズ群で構成されたものであり、
前記第７レンズ群が、少なくとも１枚の正レンズを含み、全体として正または負の屈折力を持ち、最も像側の面が像側に凸面をなすものであり、
前記第８レンズ群が、少なくとも１枚の正レンズを含み、全体として正または負の屈折力を持ち、最も像側の面が像側に凸面をなすものであることを特徴とする請求項１記載の画像読取用レンズ。
【請求項３】
前記後群を構成する正レンズのうち少なくとも３枚が前記条件式（１）を満たし、
前記前群を構成する正レンズのうち少なくとも２枚、および前記後群を構成する正レンズのうち少なくとも３枚が前記条件式（２）を満たすことを特徴とする請求項１または２記載の画像読取用レンズ。
【請求項４】
前記後群が、物体側から順に、前記第５レンズ群、前記第６レンズ群、第７レンズ群からなる前記３つのレンズ群で構成されたものであり、
前記第６レンズ群が、少なくとも２枚の正レンズを含むものであり、
前記第７レンズ群が、少なくとも１枚の正レンズを含み全体として正の屈折力を持ち、最も像側の面が像側に凸面をなすものであることを特徴とする請求項１記載の画像読取用レンズ。
【請求項５】
前記後群を構成する正レンズのうち少なくとも３枚が前記条件式（１）を満たし、
前記前群を構成する正レンズのうち少なくとも２枚、および前記後群を構成する正レンズのうち少なくとも３枚が前記条件式（２）を満たすことを特徴とする請求項４記載の画像読取用レンズ。
【請求項６】
前記後群が、物体側から順に、前記第５レンズ群、前記第６レンズ群、第７レンズ群、第８レンズ群からなる前記４つのレンズ群で構成されたものであり、
前記第１レンズ群が、最も物体側の面が物体側に凸面をなすものであり、
前記第２レンズ群が、全体として正の屈折力を持ち、最も物体側の面が物体側に凸面をなすものであり、
前記第６レンズ群が単レンズであり、
前記第７レンズ群が、正の屈折力を持ち、最も像側の面が像側に凸面をなす単レンズであり、
前記第８レンズ群が、正レンズと負レンズとからなり、全体として正または負の屈折力を持ち、最も像側の面が像側に凸面をなす接合レンズであることを特徴とする請求項１から３のいずれか１項記載の画像読取用レンズ。
【請求項７】
前記第８レンズ群が、物体側から順に正レンズ、負レンズを配置してなる前記接合レンズであることを特徴とする請求項６記載の画像読取用レンズ。
【請求項８】
前記後群が、物体側から順に、前記第５レンズ群、前記第６レンズ群、第７レンズ群、第８レンズ群からなる前記４つのレンズ群で構成されたものであり、
前記第１レンズ群が、全体として正の屈折力を持ち、最も像側の面が像側に凸面をなす接合レンズであり、
前記第６レンズ群が、単レンズであり、
前記第７レンズ群が、正レンズと負レンズとからなり、全体として正または負の屈折力を持ち、最も物体側の面が物体側に凹面を向けた接合レンズであり、
前記第８レンズ群が、像側に凸面を向けた正の屈折力を持つ単レンズであることを特徴とする請求項１から３のいずれか１項記載の画像読取用レンズ。
【請求項９】
前記第７レンズ群が、物体側から順に負レンズ、正レンズを配置してなる前記接合レンズであることを特徴とする請求項８記載の画像読取用レンズ。
【請求項１０】
前記請求項１から９のいずれか１項記載の画像読取用レンズを備えたことを特徴とする画像読取装置。
【発明の詳細な説明】
【技術分野】
【０００１】
本発明は、画像読取用レンズおよびこの画像読取用レンズを備えた画像読取装置に関するものである。
【背景技術】
【０００２】
従来より、有限距離に配置されたフィルム等の原稿画像を結像レンズを介してＣＣＤ（Ｃｈａｒｇｅ Ｃｏｕｐｌｅｄ Ｄｅｖｉｃｅ）等の撮像素子に取り込んで電子画像化するイメージスキャナが知られている。また、映画の分野ではデジタル化が進んでおり、ＬＣＤ（Ｌｉｑｕｉｄ Ｃｒｙｓｔａｌ Ｄｉｓｐｌａｙ）等の画像表示デバイスに表示された電子画像を結像レンズによって光学像に変換して映画フィルムに焼き付けたり、逆に、映画フィルム上の画像を結像レンズを介して撮像素子の撮像面に結像させ、この撮像素子により電子画像に変換するような画像読取装置が開発されている。そして、画像読取装置の開発とともに、画像読取装置の結像レンズとして用いられる画像読取用レンズの開発も行われている。
【０００３】
上記のような画像読取装置は原稿画像の情報を忠実に読み取ることが要求されるため、画像読取用レンズは、ディストーションなどの諸収差が良好に補正されて、結像領域の中心部から周辺部にわたって高解像であることが求められる。また、近年では、原稿の大半がカラー原稿であることから、画像読取用レンズは軸上色収差および倍率色収差の両方が良好に補正されていることが必要である。
【０００４】
また、上記分野の画像読取装置において、特に、フィルム画像を撮像素子で取り込む場合、フィルム面上の微小なキズや埃等を画像情報として検出するとともに、そのキズや埃等によって生じた不要な画像部分を画像処理によってデジタル的に除去したいという要求がある。フィルム面上のキズや埃等を検出する場合、近赤外光を用いることが多い。このため、画像読取用レンズには、可視域だけでなく、可視域から近赤外域（例えば９００ｎｍ程度）にわたった広い波長域で、軸上色収差および倍率色収差がともに良好に補正され、良好な光学性能を有していることが望まれる。
【０００５】
可視域から近赤外域にわたって諸収差を補正した画像読取用レンズとしては、例えば、以下の特許文献１〜４に記載のレンズが知られている。
【０００６】
特許文献１には、４群６枚構成において、開口絞りに隣接する縮小側および拡大側の２つのレンズ群それぞれを２枚の接合レンズで構成した例が記載されている。
【０００７】
特許文献２には、１３〜１４枚のレンズからなる６群構成において、開口絞りに隣接する縮小側および拡大側の２つのレンズ群それぞれを３枚の接合レンズで構成した例が記載されている。
【０００８】
また、特許文献３には、１０〜１２枚のレンズからなる６群構成において、開口絞りに隣接する縮小側および拡大側の２つのレンズ群それぞれを２枚の接合レンズで構成した例が記載されている。
【０００９】
さらに、特許文献４には、１２〜１４枚のレンズからなる７群構成において、倍率が１．４倍から１．７倍程度となるように構成した例が記載されている。
【先行技術文献】
【特許文献】
【００１０】
【特許文献１】特開２００２−２８７０２２号公報
【特許文献２】特開２００２−１４８５１４号公報
【特許文献３】特開２００８−２６５９３号公報
【特許文献４】特開２０１０−２７６８９２
【発明の概要】
【発明が解決しようとする課題】
【００１１】
上述のように、画像読取用レンズには、結像領域の中心部から周辺部まで諸収差の発生を抑えた、高解像で品質の高い画像が得られることが要求される。また、近年の撮像素子の高画素化に伴い、さらに高品質の画像の得られる画像読取用レンズが求められている。
【００１２】
より具体的には、諸収差、特に歪曲と倍率・軸上の色収差を良好に補正することや、例えばＬＣＤから発せられたりＣＣＤで受光したりする光線が角度を持つとシェーディングが発生し画質が劣化するため、そのようなシェーディングの発生を抑制することが求められている。
【００１３】
しかしながら、特許文献１、３に記載されている、レンズ枚数やレンズ群数の少ないレンズ系は、近年の画像読取用レンズに対する要求性能に比して、収差の補正が十分に施されたものとは言えない。
【００１４】
また、特許文献２に記載されている、入射側、射出側がどちらもテレセントリックではないレンズ系や、特許文献４に記載の倍率が１．４倍から１．７倍程度のレンズ系も、近年の画像読取用レンズに対する要求性能に比して十分な性能を有するものとは言えない。
【００１５】
本発明は、上記事情に鑑みてなされたものであり、諸収差、特に軸上色収差および倍率色収差が良好に補正され、結像領域中心部から周辺部に亘って良好な結像性能を有する画像読取用レンズおよびこの画像読取用レンズを備えた画像読取装置を提供することを目的とするものである。
【課題を解決するための手段】
【００１６】
本発明の画像読取用レンズは、物体側から順に、正の屈折力を持つ前群と、開口絞りと、正の屈折力を持つ後群とからなり、物体側にテレセントリック性を有するものであり、前群は、物体側から順に、正レンズと負レンズとからなり全体として正または負の屈折力を持つ接合レンズである第１レンズ群と、正レンズと負レンズとからなり全体として正または負の屈折力を持つ接合レンズである第２レンズ群と、正レンズと負レンズとからなり全体として正の屈折力を持ち、最も物体側の面が物体側に凸面をなす接合レンズである第３レンズ群と、正レンズと負レンズとからなり全体として負の屈折力を持ち、最も像側の面が像側に凹面をなす接合レンズである第４レンズ群とからなり、第１レンズ群、第２レンズ群、および第３レンズ群を合わせた屈折力が正となるように構成されたものであり、後群は、４枚の正レンズと少なくとも２枚の負レンズとを含み、３つまたは４つのレンズ群からなり、この後群中の最も物体側に配されている第５レンズ群が、正レンズと負レンズとからなり、全体として負の屈折力を持ち最も物体側の面が物体側に凹面をなす接合レンズであり、第５レンズ群の像側に配されている、後群中の第６レンズ群が、少なくとも１枚の正レンズを含み全体として正の屈折力を持ち、最も像側の面が像側に凸面をなすものであり、第５レンズ群よりも像側に配された後群中のレンズ部分が、全体として正の屈折力を持つように構成されたものであり、前群を構成する正レンズのうち少なくとも３枚、および後群を構成する正レンズのうち少なくとも２枚が条件式（１）：νｄ＞６０．０を満たし、かつ、前群を構成する正レンズのうち少なくとも１枚、および後群を構成する正レンズのうち少なくとも２枚が条件式（２）：Δθｇ，ｄ＞０．０１５を満たすことを特徴とするものである。ただし、νｄをレンズのｄ線に対するアッベ数、Δθｇ，ｄを異常分散性（Δθｇ，ｄ＝θｇ，ｄ−１．３６５＋０．００２０８×νｄ）、θｇ，ｄをｇ線、ｄ線の部分分散比（θｇ，ｄ＝（ｎｇ−ｎｄ）／（ｎＦ−ｎＣ））、ｎｇをｇ線に対する屈折率、ｎｄをｄ線に対する屈折率、ｎＦをＦ線に対する屈折率、ｎＣをＣ線に対する屈折率とする。
【００１７】
前記画像読取用レンズは、後群が、物体側から順に、第５レンズ群、第６レンズ群、第７レンズ群、第８レンズ群からなる前記４つのレンズ群で構成され、第７レンズ群が、少なくとも１枚の正レンズを含み、全体として正または負の屈折力を持ち、最も像側の面が像側に凸面をなすものであり、第８レンズ群が、少なくとも１枚の正レンズを含み、全体として正または負の屈折力を持ち、最も像側の面が像側に凸面をなすものであることを特徴とするものである。さらに、この画像読取用レンズは、後群を構成する正レンズのうち少なくとも３枚が条件式（１）を満たし、前群を構成する正レンズのうち少なくとも２枚、および後群を構成する正レンズのうち少なくとも３枚が条件式（２）を満たすものとすることができる。
【００１８】
前記画像読取用レンズは、後群が、物体側から順に、第５レンズ群、第６レンズ群、第７レンズ群からなる前記３つのレンズ群で構成され、第６レンズ群が、少なくとも２枚の正レンズを含むものであり、第７レンズ群が、少なくとも１枚の正レンズを含み全体として正の屈折力を持ち、最も像側の面が像側に凸面をなすものとすることができる。さらに、この画像読取用レンズは、後群を構成する正レンズのうち少なくとも３枚が条件式（１）を満たし、前群を構成する正レンズのうち少なくとも２枚、および後群を構成する正レンズのうち少なくとも３枚が条件式（２）を満たすものとすることができる。
【００１９】
前記画像読取用レンズは、後群が、物体側から順に、第５レンズ群、第６レンズ群、第７レンズ群、第８レンズ群からなる前記４つのレンズ群で構成され、第１レンズ群が、最も物体側の面が物体側に凸面をなすものであり、第２レンズ群が、全体として正の屈折力を持ち、最も物体側の面が物体側に凸面をなすものであり、第６レンズ群が単レンズであり、第７レンズ群が、正の屈折力を持ち、最も像側の面が像側に凸面をなす単レンズであり、第８レンズ群が、正レンズと負レンズとからなり、全体として正または負の屈折力を持ち、最も像側の面が像側に凸面をなす接合レンズであるものとすることができる。さらに、第８レンズ群を構成する接合レンズは、物体側から順に正レンズ、負レンズを配置してなるものとすることができる。
【００２０】
前記画像読取用レンズは、後群が、物体側から順に、第５レンズ群、第６レンズ群、第７レンズ群、第８レンズ群からなる前記４つのレンズ群で構成され、第１レンズ群が、全体として正の屈折力を持ち、最も像側の面が像側に凸面をなす接合レンズであり、第６レンズ群が、単レンズであり、第７レンズ群が、正レンズと負レンズとからなり、全体として正または負の屈折力を持ち、最も物体側の面が物体側に凹面を向けた接合レンズであり、第８レンズ群が、像側に凸面を向けた正の屈折力を持つ単レンズであるものとすることができる。さらに、第７レンズ群を構成する接合レンズは、物体側から順に負レンズ、正レンズを配置してなるものとすることができる。
【００２１】
本発明の画像読取装置は、前記画像読取用レンズを備えたことを特徴とするものである。
【００２２】
前記画像読取用レンズは、実質的に７つまたは８つのレンズ群からなるものとすることができる。なお、「実質的にｎ個のレンズ群からなるレンズ」とは、ｎ個のレンズ群以外に、実質的に屈折力を有さないレンズ、絞りやカバーガラス等レンズ以外の光学要素、レンズフランジ、レンズバレル、撮像素子、手振れ補正機構等の機構部分、等を持つレンズである。
【００２３】
前記「正レンズ」は１枚の正の屈折力を有するレンズを意味し、前記「負レンズ」は１枚の負の屈折力を有するレンズを意味する。すなわち、単に「正レンズ」と記載されている場合は１枚の正の屈折力を有するレンズを意味し、単に「負レンズ」と記載されている場合は１枚の負の屈折力を有するレンズを意味する。
【００２４】
前記画像読取用レンズを構成するレンズとして非球面レンズを用いる場合、非球面の凹凸、非球面の屈折力の正負、および非球面の曲率半径の正負は、この非球面の近軸領域における凹凸、屈折力の正負、および曲率半径の正負によって規定するものとする。
【００２５】
画像読取用レンズは、一般に、被写体から発せられた光を一方の側から他方の側へ通してその被写体を表す光学像を結像させることができるとともに、被写体から発せられた光を他方の側から一方の側へ通してその被写体を表す光学像を結像させることもできるように構成されている。そのため、前記「物体側」は、必ずしも被写体側に対応する場合に限らず結像側に対応することもある。また、前記「像側」についても同様に、この「像側」は必ずしも結像側に対応する場合に限らず被写体側に対応することもある。
【００２６】
すなわち、この画像読取用レンズに関する「物体側」、あるいは「像側」の記載は、便宜的に記載したものであり、画像読取用レンズ対して光を通す方向を制限するものではない。
【００２７】
ただし、この画像読取用レンズは、物体側にテレセントリック性を有し像側にはテレセントリック性を有していない。また、この画像読取用レンズは、開口絞りよりも物体側に配されているレンズの総数の方が、開口絞りよりも像側に配されているレンズの総数よりも多くなるように構成されている。
【００２８】
画像読取用レンズが物体側にテレセントリック性を有するとは、完全にテレセントリックとなる場合に限らない。ここで、「物体側」を「一方の側」と言い換えて説明すると、すなわち、「画像読取用レンズが一方の側にテレセントリック」とは、この画像読取用レンズから一方の側へ向けて射出される主光線、あるいは一方の側からこの画像読取用レンズへ入射される主光線が光軸に対して完全に平行となる場合に限るものではなく、多少の誤差がある場合をも含むものを意味する。なお、多少の誤差がある場合とは、光軸に対する主光線の傾きが±１°以下となる場合である。
【００２９】
なお、画像読取用レンズは、光軸に対する主光線の傾きが±０．６°以下となるようなテレセントリック性を有するものとすることがより望ましい。
【発明の効果】
【００３０】
本発明の画像読取用レンズおよび画像読取装置によれば、物体側から順に、正の屈折力を持つ前群、開口絞り、正の屈折力を持つ後群からなり、物体側にテレセントリック性を有するものとし、前群を、物体側から順に、正レンズと負レンズとからなり全体として正または負の屈折力を持つ接合レンズである第１レンズ群と、正レンズと負レンズとからなり全体として正または負の屈折力を持つ接合レンズである第２レンズ群と、正レンズと負レンズとからなり全体として正の屈折力を持ち、最も物体側に配された面が物体側に凸面をなす接合レンズである第３レンズ群と、正レンズと負レンズとからなり全体として負の屈折力を持ち、最も像側に配された面が像側に凹面をなす接合レンズである第４レンズ群とからなり、第１レンズ群、第２レンズ群、および第３レンズ群を合わせた屈折力が正となるように構成し、後群を、４枚の正レンズと少なくとも２枚の負レンズとを含み、３つまたは４つのレンズ群からなるものとし、後群中の最も物体側に配されている第５レンズ群を、正レンズと負レンズとからなり、全体として負の屈折力を持ち、最も物体側の面が物体側に凹面をなす接合レンズとし、第５レンズ群の像側に隣接して配されている、後群中の第６レンズ群を、少なくとも１枚の正レンズを含み全体として正の屈折力を持ち、最も像側の面が像側に凸面をなすものとし、第５レンズ群よりも像側に配された後群中のレンズ部分を、全体として正の屈折力を持つように構成し、さらに、前群を構成する正レンズのうち少なくとも３枚、および後群を構成する正レンズのうち少なくとも２枚が条件式（１）：νｄ＞６０．０を満たし、かつ、前群を構成する正レンズのうち少なくとも１枚、および後群を構成する正レンズのうち少なくとも２枚が条件式（２）：Δθｇ，ｄ＞０．０１５を満たすようにしたので、諸収差、特に軸上色収差および倍率色収差が良好に補正され、結像領域中心部から周辺部に亘って良好な結像性能を得ることができる。
【００３１】
すなわち、この画像読取用レンズは、開口絞りを間に挟んで略対称なパワー配置とすることにより、等倍近傍で良好な性能を達成することができる。また、この画像読取用レンズは、例えばＣＣＤやＬＣＤ等の配される側をテレセントリック性を有する物体側とすることでシェーディングを抑制することができるとともに、倍率合わせの感度を抑えることができるので、予め定められた所定倍率に合わせることが容易となる。
【００３２】
また、開口絞りより物体側を４群構成、開口絞りより像側を３〜４群構成とすることでコマ収差や非点収差を良好に補正することができる。
【００３３】
さらに、正レンズにアッベ数の大きなガラス、異常分散性をもつガラスを多用することで、諸収差、特に可視域全域での軸上・倍率色収差をより良好に補正することができ、さらに、開口絞りより物体側（テレセントリック側）のすべての群と、開口絞りより像側（テレセントリック側ではない側）の少なくとも２つの群を接合レンズとすることで色収差をより良好に補正することができる。
【００３４】
なお、本発明の画像読取用レンズに関するより具体的な効果につては後述する。
【図面の簡単な説明】
【００３５】
【図１】本発明の実施の形態による画像読取用レンズの概略構成を示す断面図
【図２】実施例１の画像読取用レンズの構成を示す断面図
【図３】実施例２の画像読取用レンズの構成を示す断面図
【図４】実施例３の画像読取用レンズの構成を示す断面図
【図５】実施例４の画像読取用レンズの構成を示す断面図
【図６】実施例５の画像読取用レンズの構成を示す断面図
【図７】実施例６の画像読取用レンズの構成を示す断面図
【図８】実施例７の画像読取用レンズの構成を示す断面図
【図９】実施例８の画像読取用レンズの構成を示す断面図
【図１０】実施例９の画像読取用レンズの構成を示す断面図
【図１１】実施例１０の画像読取用レンズの構成を示す断面図
【図１２】図１２（ａ）〜１２（ｄ）は、実施例１の画像読取用レンズの諸収差を示す収差図
【図１３】図１３（ａ）〜１３（ｄ）は、実施例２の画像読取用レンズの諸収差を示す収差図
【図１４】図１４（ａ）〜１４（ｄ）は、実施例３の画像読取用レンズの諸収差を示す収差図
【図１５】図１５（ａ）〜１５（ｄ）は、実施例４の画像読取用レンズの諸収差を示す収差図
【図１６】図１６（ａ）〜１６（ｄ）は、実施例５の画像読取用レンズの諸収差を示す収差図
【図１７】図１７（ａ）〜１７（ｄ）は、実施例６の画像読取用レンズの諸収差を示す収差図
【図１８】図１８（ａ）〜１８（ｄ）は、実施例７の画像読取用レンズの諸収差を示す収差図
【図１９】図１９（ａ）〜１９（ｄ）は、実施例８の画像読取用レンズの諸収差を示す収差図
【図２０】図２０（ａ）〜２０（ｄ）は、実施例９の画像読取用レンズの諸収差を示す収差図
【図２１】図２１（ａ）〜２１（ｄ）は、実施例１０の画像読取用レンズの諸収差を示す収差図
【図２２】本発明の実施の形態の画像読取装置の概略構成を示す図
【発明を実施するための形態】
【００３６】
以下、本発明の画像読取用レンズおよびこの画像読取用レンズを備えた画像読取装置について図面を参照して説明する。
【００３７】
図１は、本発明の実施の形態の画像読取用レンズを示す断面図である。なお、図中の矢印Ｘ、Ｙ、Ｚは互いに直交する３方向を示すものであり、矢印Ｚ方向は光軸Ｚ１と同方向を示している。
【００３８】
図示の画像読取用レンズ１００は、一方の側である物体側（図中矢印−Ｚ方向の側）から順に、正の屈折力を持つ前群ＧＦ、開口絞りＳｔ、正の屈折力を持つ後群ＧＢからなり、物体側にテレセントリック性を有するものである。
【００３９】
前群ＧＦは、物体側から順に、正レンズと負レンズとからなり全体として正または負の屈折力を持つ接合レンズである第１レンズ群Ｇ１と、正レンズと負レンズとからなり全体として正または負の屈折力を持つ接合レンズである第２レンズ群Ｇ２と、正レンズと負レンズとからなり全体として正の屈折力を持ち、最も物体側に配された面が物体側に凸面をなす接合レンズである第３レンズ群Ｇ３と、正レンズと負レンズとからなり全体として負の屈折力を持ち、最も像側（図中矢印＋Ｚ方向の側、他方の側）に配された面が像側に凹面をなす接合レンズである第４レンズ群Ｇ４とからなり、第１レンズ群Ｇ１、第２レンズ群Ｇ２、および第３レンズ群Ｇ３を合わせた屈折力が正となるように構成されたものである。
【００４０】
後群ＧＢは、４枚の正レンズと少なくとも２枚の負レンズとを含み、３つまたは４つのレンズ群からなるものである。後群ＧＢ中の最も物体側に配されている第５レンズ群Ｇ５は、正レンズと負レンズとからなり、全体として負の屈折力を持ち最も物体側に配された面が物体側に凹面をなす接合レンズである。第５レンズ群Ｇ５の像側に隣接して配されている後群中の第６レンズ群Ｇ６は、少なくとも１枚の正レンズを含み全体として正の屈折力を持ち、最も像側に配された面が像側に凸面をなすものであり、さらに、第５レンズ群Ｇ５よりも像側に配された（この第５レンズ群Ｇ５を含まない）後群ＧＢ中のレンズ部分は、全体として正の屈折力を持つように構成されたものである。
【００４１】
さらに、画像読取用レンズ１００は、前群ＧＦを構成する正レンズのうち少なくとも３枚の正レンズ、および後群ＧＢを構成する正レンズのうち少なくとも２枚の正レンズが以下の条件式（１）：νｄ＞６０．０を満たし、かつ、前群ＧＦを構成する正レンズのうち少なくとも１枚の正レンズ、および後群ＧＢを構成する正レンズのうち少なくとも２枚の正レンズが以下の条件式（２）：Δθｇ，ｄ＞０．０１５を満たしている。
【００４２】
ただし、νｄはレンズのｄ線に対するアッベ数、Δθｇ，ｄは異常分散性（Δθｇ，ｄ＝θｇ，ｄ−１．３６５＋０．００２０８×νｄ）である。なお、θｇ，ｄはｇ線とｄ線との部分分散比（θｇ，ｄ＝（ｎｇ−ｎｄ）／（ｎＦ−ｎＣ））、ｎｇはｇ線に対する屈折率、ｎｄはｄ線に対する屈折率、ｎＦはＦ線に対する屈折率、ｎＣはＣ線に対する屈折率である。
【００４３】
画像読取用レンズ１００は、上記基本構成の他に以下のような構成を付加したものとすることができる。
【００４４】
この画像読取用レンズ１００は、結像倍率が０．７倍以上、１．５倍以下となるように構成されたものとすることができる。
【００４５】
また、後群ＧＢは、上記第５レンズ群Ｇ５、上記第６レンズ群Ｇ６に加えて、第７レンズ群Ｇ７、第８レンズ群Ｇ８をこの順に配置した４つのレンズ群からなり、第７レンズ群Ｇ７が、少なくとも１枚の正レンズを含み、全体として正または負の屈折力を持ち、最も像側に配された面が像側に凸面をなすものであり、第８レンズ群Ｇ８が、少なくとも１枚の正レンズを含み、全体として正または負の屈折力を持ち、最も像側に配された面が像側に凸面をなすものとすることができる。
【００４６】
また、後群ＧＢは、上記第５レンズ群Ｇ５、上記第６レンズ群Ｇ６に加えて第７レンズ群Ｇ７をこの順に配置した３つのレンズ群からなり、第６レンズ群Ｇ６が、少なくとも２枚の正レンズを含むものであり、第７レンズ群Ｇ７が、少なくとも１枚の正レンズを含み全体として正の屈折力を持ち、最も像側に配された面が像側に凸面をなすものとすることができる。
【００４７】
また、画像読取用レンズ１００は、前群ＧＦを構成する正レンズのうち少なくとも３枚の正レンズ、および後群ＧＢを構成する正レンズのうち少なくとも３枚の正レンズが条件式（１）を満たし、前群ＧＦを構成する正レンズのうち少なくとも２枚の正レンズ、および後群ＧＢを構成する正レンズのうち少なくとも３枚の正レンズが条件式（２）を満たすものとすることができる。
【００４８】
後群ＧＢが、物体側から順に、第５レンズ群Ｇ５、第６レンズ群Ｇ６、第７レンズ群Ｇ７、第８レンズ群Ｇ８からなるものであるときには、この後群ＧＢは、第１レンズ群が、最も物体側に配された面が物体側に凸面をなすものであり、第２レンズ群Ｇ２が、全体として正の屈折力を持ち、最も物体側に配された面が物体側に凸面をなすものであり、第６レンズ群Ｇ６が単レンズであり、第７レンズ群Ｇ７が、正の屈折力を持ち、最も像側に配された面が像側に凸面をなす単レンズであり、第８レンズ群が、正レンズと負レンズとからなり、全体として正または負の屈折力を持ち、最も像側に配された面が像側に凸面をなす接合レンズとなるように構成されたものとすることができる。さらに、第８レンズ群Ｇ８は、物体側から順に、正レンズ、負レンズからなる接合レンズとすることもできる。
【００４９】
また、上記と同様に後群ＧＢが、物体側から順に、第５レンズ群Ｇ５、第６レンズ群Ｇ６、第７レンズ群Ｇ７、第８レンズ群Ｇ８からなるものであるときには、この後群ＧＢは、第１レンズ群Ｇ１が、全体として正の屈折力を持ち、最も像側に配された面が像側に凸面をなす接合レンズであり、第６レンズ群Ｇ６が単レンズであり、第７レンズ群Ｇ７が、正レンズと負レンズとからなり、全体として正または負の屈折力を持つ物体側に凹面を向けた接合レンズであり、第８レンズ群Ｇ８が、像側に凸面を向けた正の屈折力を持つ単レンズとなるように構成されたものとすることができる。さらに、第７レンズ群Ｇ７は、物体側から負レンズ、正レンズの順に配置された接合レンズとすることもできる。
【００５０】
以下、画像読取用レンズ１００の上記のような構成による作用、効果について説明する。ここでの記載は、画像読取用レンズ１００に対して「物体側」から「像側」へ光を通して、被写体を表す光学像を結像させるものとして説明を行うが、既に説明したようにこの画像読取用レンズに対して逆方向に（「像側」から「物体側」へ）光を通して被写体の光学像を結像させるようにしてもよい。
【００５１】
この画像読取用レンズ１００は、物体側（一方の側）にテレセントリック性を有しているので、このテレセントリック性を有する物体側に電子デバイス（ＬＣＤやＣＣＤ等）を配置することにより、電子デバイスを用いる場合に問題となる角度依存性に起因するシェーディングの発生を防止することができ、中心部から周辺部に亘って良好な画像品質を維持することができる。また、テレセントリック性を有する物体側での距離変動は、結像倍率に影響を殆ど及ぼさないので倍率合わせの感度が抑えられ、所望の結像倍率に合わせやすくなる。
【００５２】
なお、画像読取用レンズ１００がテレセントリック性を有するとは、主光線と光軸Ｚ１との角度が１°以下であることを意味する。画像読取用レンズ１００は、物体側に、主光線と光軸Ｚ１との角度が０．６°以下となるようなテレセントリック性を有することが望ましい。なお、この画像読取用レンズ１００は、像側にはテレセントリック性を有していない。
【００５３】
画像読取用レンズ１００を、結像倍率が０．７倍以上、１．５倍以下となるように構成しつつ、良好な光学性能を実現するためには、この画像読取用レンズ１００に対して、開口絞りＳｔを間に挟んで両側に対称に近いパワー配置を持たせることが望ましい。開口絞りＳｔの物体側、像側にそれぞれ隣接して配置されたレンズ群（第４レンズ群Ｇ４、第５レンズ群Ｇ５）は、両方共に、開口絞りＳｔに凹面を向けた正負の接合レンズからなる負のレンズ群である。さらに、第４レンズ群Ｇ４の物体側に配された第３レンズ群Ｇ３を物体側に凸面を向けた正の屈折力を持つレンズ群とし、第５レンズ群Ｇ５の像側に配された第６レンズ群Ｇ６を、像側に凸面を向けた正の屈折力を持つレンズ群とすることで第３レンズ群Ｇ３から第６レンズ群Ｇ６までの４つの群でいわゆるダブルガウス型の光学系を構成することができる。また、第４レンズ群Ｇ４よりも物体側に配された（この第４レンズ群Ｇ４を含まない）全てのレンズ群を全体として正の屈折力を有するものとし、第５レンズ群Ｇ５より像側に配された（この第５レンズ群Ｇ５を含まない）全てのレンズ群を全体として正の屈折力を有するものとすることで、レンズ全系としてもダブルガウス型の光学系を構成するものとなっている。ダブルガウス型の光学系は、像面湾曲およびディストーションを小さくすることができ、明るい光学系の設計に有利であるという長所を有する。
【００５４】
また、映画用フィルムに要求される解像度をその画像形成領域の全域で達成するためには球面収差だけではなく、コマ収差、非点収差をも良好に補正する必要がある。そのために、開口絞りＳｔより物体側に配置された、前群ＧＦを４群構成として良好な光学性能を達成している。さらにテレセントリック性を確保しながら軸上色収差と倍率色収差を良好に補正するため、この前群ＧＦにおける４つのレンズ群をすべて正レンズと負レンズの接合レンズとしている。
【００５５】
開口絞りＳｔを間に挟んでレンズ構成を対称なものとするために、開口絞りＳｔよりも物体側と同じく、開口絞りＳｔよりも像側においても正レンズを４枚配置している。さらに、開口絞りＳｔより像側での諸収差の発生を抑えるため、この像側に少なくとも２枚の負レンズを配置している。諸収差のバランスを重視した場合、後群ＧＢは前群ＧＦと対称となる４群構成であることが望ましいが、特に色収差の補正を重視した場合、正レンズ２枚と負レンズ１枚を接合した３枚接合のレンズ群を含む３群構成とすることもできる。
【００５６】
また、色収差の発生を抑え良好に補正するために、前群ＧＦ中の正レンズのうち少なくとも３枚と、後群ＧＢ中の正レンズのうち少なくとも２枚とが条件式（１）：νｄ＞６０．０を満たし、前群ＧＦ中の正レンズのうち少なくとも１枚の正レンズと、後群ＧＢ中の正レンズのうち少なくとも２枚の正レンズとが条件式（２）：Δθｇ，ｄ＞０．０１５を満たすように構成されている。上記条件を満たすことにより、軸上色収差と倍率色収差の発生量を抑える事ができる。より効果的に色収差を補正するためには後群ＧＢ中の正レンズのうち少なくとも３枚が条件式（１）：νｄ＞６０．０を満たし、前群ＧＦ中の正レンズのうち少なくとも２枚と後群ＧＢ中の正レンズのうち少なくとも３枚が条件式（２）：Δθｇ，ｄ＞０．０１５を満たしていることが望ましい。
【００５７】
また、開口絞りＳｔより像側で発生する諸収差を補正するため、第６レンズ群Ｇ６より像側のいずれかの群に負レンズが配置されている必要がある。この負レンズを、後群ＧＢ中の第６レンズ群Ｇ６より像側に配置する際に、なるべく像側寄りに配置することで非点収差を良好に補正することができる。更にこの負レンズを正レンズとの接合レンズにすることで倍率色収差を良好に補正する事ができるため、第６レンズ群Ｇ６を正の単レンズ、第７レンズ群Ｇ７を正の単レンズ、第８レンズ群Ｇ８を正と負の接合レンズから成るものとすることが望ましい。
【００５８】
さらに、第８レンズ群Ｇ８の接合レンズを正レンズ、負レンズの順に配置することで負レンズを最も像側に配置することができるため収差補正上より望ましい配置とすることができる。
【００５９】
なお、第８レンズ群Ｇ８に配置された接合レンズは、光学系に要求される仕様に応じて正負いずれの値も取り得るため、上記のような場合の後群ＧＢのパワー配置は負の第５レンズ群Ｇ５、正の第６レンズ群Ｇ６、正の第７レンズ群Ｇ７、正または負の第８レンズ群Ｇ８となる。そのような場合には、レンズ全体のパワー配置を、開口絞りＳｔを間に挟んで対称なものとするため、前群ＧＦのパワー配置は、第１レンズ群Ｇ１が正または負、第２レンズ群Ｇ２が正、第３レンズ群Ｇ３が正、第４レンズ群Ｇ４が負とすることが望ましい。
【００６０】
また、画像読取用レンズ１００が８つのレンズ群で構成されたものである場合、第６レンズ群Ｇ６以降に配置する負レンズを後群ＧＢ中の４枚の正レンズの間に配置することで軸上色収差を良好に補正することができる。更にこの負レンズを正レンズとの接合レンズとすることで軸上色収差と倍率色収差をバランス良く補正することができるため、第６レンズ群Ｇ６が正の単レンズ、第７レンズ群Ｇ７が正と負の接合レンズ、第８レンズ群Ｇ８が正の単レンズから成るものとすることが望ましい。
【００６１】
さらに、第７レンズ群Ｇ７を構成する接合レンズを物体側から負レンズ、正レンズの順に配置するとともに、第５レンズ群Ｇ５を構成する接合レンズも物体側から負レンズ、正レンズの順に配置することにより、第７レンズ群Ｇ７中の負レンズを４枚の正レンズの中央に配置することができ、収差補正上より望ましい配置とすることができる。
【００６２】
なお、第７レンズ群Ｇ７に配置された接合レンズは光学系に要求される仕様に応じて正負いずれの値も取り得るため、上記のような場合の後群ＧＢのパワー配置は負の第５レンズ群Ｇ５、正の第６レンズ群Ｇ６、正または負の第７レンズ群Ｇ７、正の第８レンズ群Ｇ８となる。そのような場合には、レンズ全体のパワー配置を、開口絞りＳｔを間に挟んで対称なものとするために、前群ＧＦのパワー配置は、第１レンズ群Ｇ１が正、第２レンズ群Ｇ２が正または負、第３レンズ群Ｇ３が正、第４レンズ群Ｇ４が負とすることが望ましい。
【実施例】
【００６３】
次に、本発明による画像読取用レンズの具体的な数値データを示す実施例１〜１０について、図２から図１１、図１２から図２１、表１から表１０を参照し、まとめて説明する。なお、上述の画像読取用レンズ１００を示す図１中の符号と一致する図２から１１中の符号は互に対応する構成要素を示している。
【００６４】
なお、上述の場合と同様に、図中矢印−Ｚ方向の側が物体側（テレセントリック性を有する側）、図中矢印＋Ｚ方向の側が像側（テレセントリック性を有していない側）である。
【００６５】
また、以下に説明する実施例では、実施例１〜１０それぞれの画像読取用レンズを構成する各接合レンズおよび各単レンズが１つの群に対応している。
【００６６】
＜実施例１＞
図２は、実施例１の画像読取用レンズの概略構成を示す断面図である。
【００６７】
この実施例１の画像読取用レンズは、８つのレンズ群からなる画像読取用レンズに対応するものである。
【００６８】
また、表１は、実施例１の画像読取用レンズのレンズデータと各種データを示すものである。表１の上段にレンズデータを、下段に各種データを示す。
【００６９】
表１の上段のレンズデータにおいて、面番号ｉは最も物体側に配置された面を１番目として像側に向かうに従い順次増加するｉ番目（ｉ＝１、２、３、…）の面Ｓｉの面番号を示す。なお、このレンズデータには開口絞りＳｔをも含めて面番号を付している。
【００７０】
表１の上段の記号Ｒｉはｉ番目（ｉ＝１、２、３、…）の面の曲率半径を示し、記号Ｄｉはｉ（ｉ＝１、２、３、…）番目の面とｉ＋１番目の面との光軸Ｚ１上の面間隔を示す。記号Ｒｉおよび記号Ｄｉは、各レンズ面や開口絞りＳｔを示す記号Ｓｉ（ｉ＝１、２、３、・・・）と番号が対応している。
【００７１】
また、表１の上段の記号Ｎｄｊは最も物体側の光学要素を１番目として像側に向かうに従い順次増加するｊ番目（ｊ＝１、２、３、…）の光学要素のｄ線（波長５８７．６ｎｍ）に対する屈折率を示し、νｄｊはｊ番目の光学要素のｄ線に対するアッベ数を示す。
【００７２】
θｇ，ｄｊの欄にはｊ番目のレンズのｇ線とｄ線間の部分分散比θｇ，ｄを示し、Δθｇ，ｄｊの欄にはｊ番目のレンズの異常分散性Δθｇ，ｄを示している。
【００７３】
また、表１の下段の各種データは、レンズ全系の焦点距離ｆ、倍率Ｍ、テレセントリック性を有する物体側における主光線の入射角度Ｖ１、および主光線の射出角度Ｖ２、第１レンズ群から第３レンズ群に含まれる全レンズの合成焦点距離ｆ１３、第６レンズ群よりも像側に配置されている全レンズの合成焦点距離ｆ６Ａそれぞれについての値を示している。なお、各種データの値は、ｅ線（波長５４６．０７ｎｍ）を基準にして求めたものである。
【００７４】
なお、表１の上段において、曲率半径は物体側に凸の場合を正、像側に凸の場合を負としている。また、曲率半径、面間隔、焦点距離の単位はｍｍとしている。しかしながら、上記のような光学系は、一般にレンズ等の光学要素の寸法を比例拡大または比例縮小しても所定の性能を維持することが可能なため、上記レンズデータ全体を比例拡大または比例縮小した画像読取用レンズについても本発明に係る実施例とすることができる。
【表１】
2013041205.tif 000003
【００７５】
図１２（a）〜図１２（d）に実施例１の画像読取用レンズの諸収差を示す。図１２（a）は球面収差、図１２（b）は非点収差、図１２（c）はディストーション（歪曲収差）、図１２（d）は倍率色収差（倍率の色収差）を示す。各収差図は、ｅ線（波長５４６．０７ｎｍ）を基準波長として作成したものである。球面収差図および倍率色収差図にはＣ線（波長６５６．２７ｎｍ）、ｇ線（波長４３５．８４ｎｍ）についての収差も示す。非点収差図の実線はサジタル方向の収差、破線はタンジェンシャル方向の収差を示す。
【００７６】
また、球面収差図の縦軸上部にははＦナンバー（Ｆｎｏ．）の値を示し、非点収差図、ディストーション、倍率色収差図それぞれの縦軸上部には、上表の各種データの物体側における物体高で決まる最大の像高を示す。
【００７７】
以上のデータから、実施例１の画像読取用レンズが、約等倍において、諸収差、特に軸上色収差および倍率色収差が良好に補正され、結像領域中心部から周辺部に亘って良好な結像性能を有するものであることがわかる。
【００７８】
なお、上記実施例１の画像読取用レンズの構成を示す図２、収差を示す図１２（ａ）〜１２（ｄ）、およびレンズデータや各種データを示す表１の読取り方等は、後述する実施例２〜７についても同様なので、後述の実施例についてはそれらの詳しい説明は省略する。
【００７９】
＜実施例２＞
図３は、実施例２の画像読取用レンズの概略構成を示す断面図である。また、図１３（ａ）〜１３（ｄ）は、実施例２の画像読取用レンズの諸収差を示す図である。
【００８０】
下記表３の上段には実施例２の画像読取用レンズのレンズデータを、下段には各種データを示す。
【００８１】
この実施例２の画像読取用レンズは、８つのレンズ群からなる画像読取用レンズに対応するものである。
【表２】
2013041205.tif 000004
【００８２】
＜実施例３＞
図４は、実施例３の画像読取用レンズの概略構成を示す断面図である。また、図１４（ａ）〜１４（ｄ）は、実施例３の画像読取用レンズの諸収差を示す図である。
【００８３】
下記表４の上段には実施例３の画像読取用レンズのレンズデータを、下段には各種データを示す。
【００８４】
この実施例３の画像読取用レンズは、８つのレンズ群からなる画像読取用レンズに対応するものである。
【表３】
2013041205.tif 000005
【００８５】
＜実施例４＞
図５は、実施例４の画像読取用レンズの概略構成を示す断面図である。また、図１５（ａ）〜１５（ｄ）は、実施例４の画像読取用レンズの諸収差を示す図である。
【００８６】
下記表４の上段には実施例４の画像読取用レンズのレンズデータを、下段には各種データを示す。
【００８７】
この実施例４の画像読取用レンズは、８つのレンズ群からなる画像読取用レンズに対応するものである。
【表４】
2013041205.tif 000006
【００８８】
＜実施例５＞
図６は、実施例５の画像読取用レンズの概略構成を示す断面図である。また、図１６（ａ）〜１６（ｄ）は、実施例５の画像読取用レンズの諸収差を示す図である。
【００８９】
下記表５の上段には実施例５の画像読取用レンズのレンズデータを、下段には各種データを示す。
【００９０】
この実施例５の画像読取用レンズは、８つのレンズ群からなる画像読取用レンズに対応するものである。
【表５】
2013041205.tif 000007
【００９１】
＜実施例６＞
図７は、実施例６の画像読取用レンズの概略構成を示す断面図である。また、図１７（ａ）〜１７（ｄ）は、実施例６の画像読取用レンズの諸収差を示す図である。
【００９２】
下記表６の上段には実施例６の画像読取用レンズのレンズデータを、下段には各種データを示す。
【００９３】
この実施例６の画像読取用レンズは、８つのレンズ群からなる画像読取用レンズに対応するものである。
【表６】
2013041205.tif 000008
【００９４】
＜実施例７＞
図８は、実施例７の画像読取用レンズの概略構成を示す断面図である。また、図１８（ａ）〜１８（ｄ）は、実施例７の画像読取用レンズの諸収差を示す図である。
【００９５】
下記表７の上段には実施例７の画像読取用レンズのレンズデータを、下段には各種データを示す。
【００９６】
この実施例７の画像読取用レンズは、８つのレンズ群からなる画像読取用レンズに対応するものである。
【表７】
2013041205.tif 000009
【００９７】
＜実施例８＞
図９は、実施例８の画像読取用レンズの概略構成を示す断面図である。また、図１９（ａ）〜１９（ｄ）は、実施例８の画像読取用レンズの諸収差を示す図である。
【００９８】
下記表８の上段には実施例８の画像読取用レンズのレンズデータを、下段には各種データを示す。
【００９９】
この実施例８の画像読取用レンズは、７つのレンズ群からなる画像読取用レンズに対応するものである。
【表８】
2013041205.tif 000010
【０１００】
＜実施例９＞
図１０は、実施例９の画像読取用レンズの概略構成を示す断面図である。また、図２０（ａ）〜２０（ｄ）は、実施例９の画像読取用レンズの諸収差を示す図である。
【０１０１】
下記表９の上段には実施例９の画像読取用レンズのレンズデータを、下段には各種データを示す。
【０１０２】
この実施例９の画像読取用レンズは、８つのレンズ群からなる画像読取用レンズに対応するものである。
【表９】
2013041205.tif 000011
【０１０３】
＜実施例１０＞
図１１は、実施例１０の画像読取用レンズの概略構成を示す断面図である。また、図２１（ａ）〜２１（ｄ）は、実施例１０の画像読取用レンズの諸収差を示す図である。
【０１０４】
下記表１０の上段には実施例１０の画像読取用レンズのレンズデータを、下段には各種データを示す。
【０１０５】
この実施例１０の画像読取用レンズは、８つのレンズ群からなる画像読取用レンズに対応するものである。
【表１０】
2013041205.tif 000012
【０１０６】
次に、本発明の実施形態の画像読取装置について説明する。図２２は、本発明の実施の形態の画像読取装置の概略構成を示す図である。
【０１０７】
図示の画像読取装置２００は、上記画像読取用レンズ１００と、読み取り対象となる映画フィルム等の原稿２が載置される原稿載置台３と、原稿２の画像を取り込むＣＣＤ等の撮像素子４とを備えている。画像読取用レンズ１００は、原稿２と撮像素子４との間に配置される。なお、必要に応じて、色フィルタや結像倍率を変化させるアタッチメントレンズ等の光学部材５を画像読取用レンズ１００に対して装着するようにしてもよい。
【０１０８】
この画像読取装置２００は、反射原稿方式または透過原稿方式のいずれにも適用できる。反射原稿方式の画像読取装置の場合、図示しない光源からの光が原稿２の表面側に照射される。そして、その原稿２からの反射光が画像読取用レンズ１００を透して撮像素子４上に結像される。この撮像素子４上に結像された上記原稿２を表す光学像は、撮像素子４によって画像情報として取り込まれる。
【０１０９】
透過原稿方式の画像読取装置の場合、原稿載置台３は光を透過する透明な部材で構成され、原稿２がネガフィルムやポジフィルム等の透過原稿で構成される。また、図示しない光源が原稿載置台３の裏面側に配置され、原稿２の裏面側からこの原稿２に向けて照明光が照射される。そして、原稿２からの透過光が画像読取用レンズ１００を透過して結像作用を受けることによって、この原稿２を表す光学像が撮像素子４上に結像される。この結像された光学像は、撮像素子４によって画像情報として取り込まれる。
【０１１０】
なお、原稿２としてＬＣＤ等の画像表示デバイスを配置したり、撮像素子４に代えて映画フィルム等を配置するようにしてもよい。これにより、画像表示デバイスに表示された電子画像を画像読取用レンズによって光学像に変換して映画フィルム等に焼き付けることができる。
【０１１１】
以上、実施の形態および実施例を挙げて本発明を説明したが、本発明は上記実施の形態および実施例に限定されず、種々の変形が可能である。例えば、各レンズ要素の曲率半径、面間隔、屈折率、アッベ数等の値は、上記各数値実施例で示した値に限定されず、他の値をとり得るものである。
【符号の説明】
【０１１２】
ＧＦ    前群
Ｓｔ    開口絞り
ＧＢ    後群
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
【図１】
2013041205.tif 000013
【図２】
2013041205.tif 000014
【図３】
2013041205.tif 000015
【図４】
2013041205.tif 000016
【図５】
2013041205.tif 000017
【図６】
2013041205.tif 000018
【図７】
2013041205.tif 000019
【図８】
2013041205.tif 000020
【図９】
2013041205.tif 000021
【図１０】
2013041205.tif 000022
【図１１】
2013041205.tif 000023
【図１２】
2013041205.tif 000024
【図１３】
2013041205.tif 000025
【図１４】
2013041205.tif 000026
【図１５】
2013041205.tif 000027
【図１６】
2013041205.tif 000028
【図１７】
2013041205.tif 000029
【図１８】
2013041205.tif 000030
【図１９】
2013041205.tif 000031
【図２０】
2013041205.tif 000032
【図２１】
2013041205.tif 000033
【図２２】
2013041205.tif 000034